(57)【要約】  【課題】  騒音の多い使用環境でもその紛失物の検知が容易できる識別性と、その電波発信機を常時身に着けておくことができる携帯性とを有するとともに、個別の回線電話番号の登録を要しない経済性にも優れた紛失物発見器を提供する。  【解決手段】  携帯電話１１に設けられた無線通信機能を介して発信される制御信号を受信する受信回路部１２と、発音、発光、振動機能を備えた応答報知部１３と、受信回路部１３から取得される制御信号に基づいて応答報知部１３を所定の動作モードで駆動させる応答制御部１４と、を備えるように紛失物発見器１０を構成した。【選択図】  図２
2007180936.tif 000002
【特許請求の範囲】
【請求項１】
携帯電話に設けられた無線通信機能を介して発信される制御信号を受信する受信回路部と、発音、発光、振動機能を備えた応答報知部と、前記受信回路部から取得される制御信号に基づいて前記応答報知部を所定の動作モードで駆動させる応答制御部と、を備えたことを特徴とする紛失物発見器。
【請求項２】
前記携帯電話と前記受信回路部とがブルートゥース規格により無線接続されることを特徴とする請求項１記載の紛失物発見器。
【請求項３】
前記紛失物発見器本体には前記応答報知部の駆動を停止させる停止操作部が設けられ、前記応答制御部が所定動作モードによる前記応答報知部の駆動開始後、所定時間内に前記停止操作部の操作が検出されない場合に別の動作モードに移行させることを特徴とする請求項１又は２記載の紛失物発見器。
【請求項４】
前記動作モードには、前記応答報知部をその発光機能により所定時間動作させた後、その発音機能に切り換えて動作させる発光発音モードと、前記応答報知部の発光機能を持続させる発光モードと、前記応答報知部の発音機能を持続させる発音モードと、前記応答報知部の振動機能を継続させる振動モードと、前記応答報知部の動作履歴をリセットするリセットモードと、を有することを特徴とする請求項１〜３の内いずれか１項に記載の紛失物発見器。
【発明の詳細な説明】
【技術分野】
【０００１】
本発明は、身の回りに紛失した物品を捜し出すための紛失物発見器に関する。
【背景技術】
【０００２】
従来、車のキーや財布等を置き忘れたような場合、それを探すには自分の目と手で探すしか方法がなく、多くの時間と労力を浪費することが多かった。このような紛失物を発見する技術に関連して、例えば以下のようなものが開示されている。
【０００３】
特許文献１には、複数の電波信号の１つを選択的に送信する操作ユニットと、電波信号を受信する複数の受信ユニットとを有し、受信ユニットは自分自身に送られた電波信号を識別して、音響装置の発する音によって物品を捜し出すようにした物品探索装置が記載されている。
【０００４】
特許文献２には、一定の探査電波を発信させる探査電波発信器と、予め被探知物に内蔵され或いは被探知物と組み合わせることで一緒に存在させ、前記探査電波発信器からの一定の電波を受信した時に一定の応答音を発信させるようにした応答器とからなることを特徴とする紛失物探知装置が記載されている。
【０００５】
特許文献３には、ポケットベルを小型化して車のキー等の客体に装着し、その客体を何処に置いたのか忘れたときにポケットベル番号をダイヤルして、その電波を受信したポケットベルが音と光を発して客体の存在場所が分かるようにしたキーホルダー型ポケットベルが記載されている。
【特許文献１】特開平８−６５７７５号公報
【特許文献２】実用新案登録第３０９０８３９号公報
【特許文献３】特開平１１−３１３１３９号公報
【発明の開示】
【発明が解決しようとする課題】
【０００６】
しかしながら、前記特許文献に記載の従来の技術のものは以下のような課題があった。
すなわち、特許文献１に記載の物品探索装置では、その受信ユニットが操作ユニットからの電波信号を識別して、その音響装置から一定の音響が発信されるだけなので、例えばバックミュージックやゲーム音などによる騒音の多い使用環境によってはその判別が困難になったり、この音響によって周囲の遊技者などの注意を引き付けたりするような問題があった。
【０００７】
また、特許文献２に記載の一定の電波を受信した時に一定の応答音を発信させるようにした紛失物探知装置では、前記同様の欠点に加えて、このような探査電波発信器を常時身に着けておくことが困難であるため、忘れ物をした必要な時に手軽に利用しにくいという課題があった。
【０００８】
さらに、特許文献３に記載の小型のポケットベルをキー等の客体に装着して用いるようにしたものでは、その報知動作が音だけに限定されるので識別性に欠けることに加えて、このポケットベル毎に個別の回線電話番号を電話会社に登録しておく必要があり、実際の運営費用が高額になるという課題があった。
【０００９】
本発明は前記従来の課題を解決するためになされたもので、騒音の多い使用環境でもその紛失物の検知が容易できる識別性と、その電波発信機を常時身に着けておくことができる携帯性とを有するとともに、個別の回線電話番号の登録を要しない経済性にも優れた紛失物発見器を提供することを目的とする。
【課題を解決するための手段】
【００１０】
（１）前記従来の課題を解決するためになされた本発明の紛失物発見器は、携帯電話に設けられた無線通信機能を介して発信される制御信号を受信する受信回路部と、発音、発光、振動機能を備えた応答報知部と、前記受信回路部から取得される制御信号に基づいて前記応答報知部を所定の動作モードで駆動させる応答制御部と、を備えている。
【００１１】
（２）本発明の紛失物発見器は、前記（１）において、前記携帯電話と前記受信回路部とがブルートゥース(Bluetooth)規格により無線接続されることにも特徴を有している。
【００１２】
（３）本発明の紛失物発見器は、前記（１）又は（２）において、前記紛失物発見器本体には前記応答報知部の駆動を停止させる停止操作部が設けられ、前記応答制御部が所定動作モードによる前記応答報知部の駆動開始後、所定時間内に前記停止操作部の操作が検出されない場合に別の動作モードに移行させることにも特徴を有している。
【００１３】
（４）本発明の紛失物発見器は、前記（１）〜（３）において、前記動作モードには、前記応答報知部をその発光機能により所定時間動作させた後、その発音機能に切り換えて動作させる発光発音モードと、前記応答報知部の発光機能を持続させる発光モードと、前記応答報知部の発音機能を持続させる発音モードと、前記応答報知部の振動機能を継続させる振動モードと、前記応答報知部の動作履歴をリセットするリセットモードと、を有することにも特徴を有している。
【発明の効果】
【００１４】
本発明によれば、携帯電話から発信される制御信号に基づいてその応答報知部を所定の動作モードで駆動させることができるので、騒音の多い使用環境などでも紛失物発見器が装着された紛失物の検知判別を容易に行うことができる。また、携帯電話を用いて操作することができるのでその携帯性と利便性とに優れている。さらにブルートゥース通信規格により携帯電話とペアリングすることによって個別の回線電話番号の登録や費用など要せず経済性にも優れている。
【発明を実施するための最良の形態】
【００１５】
本実施形態の紛失物発見器は、携帯電話に設けられた無線通信機能を介して発信される制御信号を受信するための受信回路部と、発音、発光、振動機能を備えた応答報知部と、前記受信回路部から取得される制御信号に基づいて前記応答報知部を所定の動作モードで駆動させるための応答制御部と、を備えるように構成されている。これによって、例えば騒音の多い遊技ホールなどの使用環境でも紛失物発見器が装着された紛失物の検知判別を容易に行うことができる。また、携帯電話を用いて紛失物発見器の検知操作を手軽に行うことができるのでその携帯性と利便性とに優れている。
【００１６】
受信回路部は、その全体がカード状などに形成された紛失物発見器本体に内蔵され、携帯電話に設けられたブルートゥース規格や通話機能などの無線通信機能を介して発信される制御信号を受信する機能を有した通信デバイスである。
【００１７】
応答報知部は、スピーカやブザーなどの発音装置や、液晶パネルなどを備えた液晶表示部、ＬＥＤなどの発光装置、振動子を備えた振動装置などを有しており、応答制御部を介してその駆動状態が制御されるようになっている。
【００１８】
応答制御部は、ＣＰＵを備えたマイクロコンピュータなどであって、受信回路部及び応答報知部などのデバイス装置がその入出力インターフェイスを介して連結されている。応答制御部のメモリ部には、受信回路部及び応答報知部を制御するためのブルートゥース規格を介した通信制御プログラムや応答報知部を所定の動作モードで制御するためのアプリケーションプログラムが予めロードされている。
【００１９】
また、本実施形態の紛失物発見器は、前記携帯電話と前記受信回路部とがブルートゥース規格（登録商標）により無線接続されるようにすることもできる。これによって、携帯電話から制御信号を受信回路部に、免許なしで自由に使うことのできる２．４５ＧＨｚの周波数帯域の電波を利用し、１Ｍｂｐｓの速度により携帯電話と受信回路部との間の通信を行なうことができる。こうして赤外線を利用するＩｒＤＡとは異なり、両機器間の距離が１０ｍ以内であれば障害物があっても利用することができる。また、ブルートゥース規格による無線通信によれば、小型のトランシーバを利用することができるため、ＩｒＤＡに比べ消費電力が小さく、製造コストも低く抑えられる。
【００２０】
本実施形態の紛失物発見器は、前記紛失物発見器本体には前記応答報知部の駆動を停止させる停止操作部が設けられ、前記応答制御部が所定動作モードによる前記応答報知部の駆動開始後、所定時間内に前記停止操作部の操作が検出されない場合に別の動作モードに移行させることもできる。これによって、紛失物が発見されて停止操作部が押されない限りは所定時間毎に異なる動作モードに切り換えられるので、その紛失物の認識率を向上させることができる。例えば、最初に携帯電話から制御信号を受信したときには、ＬＥＤやランプなどを発光点滅させる発光モードで応答報知部を約１０秒間継続駆動させた後、ブザーなどからアラーム音を約５秒間鳴らすような発音モードに応答報知部を移行させて、次ぎに動作モードに移行させるようにしてもよい。
停止操作部は、紛失物発見器本体の前面などに設けられたプッシュボタンやタッチセンサなどであって、動作モードにある紛失物発見器を発見した操作者が、これを操作することで駆動中の応答報知部を停止させることができるようになっている。なお、停止操作部は、携帯電話の通信機能を介して制御信号を送信することによって制御することもでき、これによって、手元にある携帯電話を操作して応答動作中の紛失物発見器をいつでも停止させることができる。
【００２１】
本実施形態の紛失物発見器は、前記動作モードには、前記応答報知部をその発光機能により所定時間動作させた後、その発音機能に切り換えて動作させる発光発音モードと、前記応答報知部の発光機能を持続させる発光モードと、前記応答報知部の発音機能を持続させる発音モードと、前記応答報知部の振動機能を継続させる振動モードと、前記応答報知部の動作履歴をリセットするリセットモードと、を有することにも特徴を有している。これによって、携帯電話を用いて選択される制御信号を紛失物発見器の受信回路部に送信して、所定の動作モードで応答報知部を駆動させることができ、その使用環境などに応じて適切な動作モードで駆動させることで、その紛失物発見器に添付または結合された車のキーや、自転車、車両、貴重品などの物品の発見をより容易にすることができる。
【００２２】
（実施例）
図１は本実施例に係る紛失物発見器を適用した紛失物発見システムの説明図であり、図２はそのブロック構成図である。以下図面を参照しながら、紛失物発見器を用いた紛失物発見システムについて説明する。
図１及び図２において、１０は財布や貴重品などの物品に予め装着されるカード型などに形成された本実施例の紛失物発見器、１１は紛失物発見器１０にペアリングされるブルートゥース規格により動作するブルートゥース送信回路部１１ａを備えた携帯電話、１２はブルートゥース送信回路部１１ａを介して発信される制御信号を受信するためのアンテナを備えたブルートゥース受信回路部（受信回路部）、１３は発音、発光、振動機能を備えた応答報知部、１４はブルートゥース受信回路部１２から取得される制御信号に基づいて応答報知部１３を所定の動作モードで駆動させるための応答制御部、１５は応答報知部１３の動作を停止させるための停止操作部である。
携帯電話１１は、紛失物発見器１０に所定の制御信号を送るためのブルートゥース送信回路部１１ａの他に、アンテナ１１ｂを介して携帯電話基地局との間で通信通話を行うための受信回路や送信回路を備えた通信制御部１１ｃや、ダイヤルボタン、タッチボタンなどの操作部１１ｄ、通信通話情報などを表示するための液晶表示部１１ｅなどを有して構成されている。
【００２３】
携帯電話１１はその前面に設けられたダイヤルボタンなどの操作部１１ｄを操作することによって、ブルートゥース送信回路部１１ａを介して紛失物発見器１０のブルートゥース受信回路部１２に所定の制御信号を送信することができるようになっている。なお、このようなブルートゥース通信のアンテナは、携帯電話基地局との間で行う通信通話機能に用いるアンテナ１１ｂと共用することもできる。
【００２４】
紛失物発見器１０は、図１に示すように財布やキーなどの物品に装着されたり、その物品に内蔵されたりした状態で保持される。こうしして、紛失物発見器１０を装着した物品を見失ったり、多数の物品が置かれたものの中からこれを探知したりしようとする場合には、携帯電話１１の操作部１１ｄを操作して、携帯電話１１にペアリングされた紛失物発見器１０に対応した制御信号を、ブルートゥース送信回路部１１ａを介してその通信可能な近距離エリアに向けて送信する。ブルートゥースは無線通信方式の一つであり、ローコストで高速な無線通信環境を構築することができる。ブルートゥースによる無線通信には、２．４ＧＨｚの免許を必要としない周波数帯が使用され、その電波接続エリアは１０ｍから１００ｍ程度である。また、周波数ホッピング型のスペクトル拡散方式の通信により１Ｍｂｐｓのデータ伝送を行うことができる。
【００２５】
応答制御部１４は、紛失物発見器全体の動作をコントロールするためのＣＰＵや、コントロールプログラムやデータを格納するためのメモリ、入出力部を備えている。この入出力部はブルートゥース受信回路部１２や応答報知部１３、停止操作部１５に接続されＣＰＵやメモリとのデータの入出力を行うものである。
【００２６】
紛失物発見器１０のブルートゥース受信回路部１２に向けて携帯電話１１から送信される制御信号には、その紛失物発見器１０を特定するための識別コードに加えて、応答報知部１３の動作モードを指定するための制御コードが含まれている。これによって、そのブルートゥース通信機能による通信可能エリア内に複数の紛失物発見器が混在するような場合であっても、制御信号に応じて所定のモードで作動される応答報知部１３の識別を容易に行うことができる。例えば、財布に装着された紛失物発見器１０を作動させると断続的なアラーム音が発生され、スーツケースに内蔵された紛失物発見器の場合には連続的なアラーム音が発生させるようにしておき、これに対応する制御信号を携帯電話１１から送信することで両者を識別検知することができる。
【００２７】
さらに、物品同士が密集して、その音による識別が困難な場合には、応答制御部１４によって応答報知部１３を制御して、ブザーなどを鳴らす発音モードからＬＥＤなどを点滅させる発光モードなどに切り換わるようにして、その識別性を高めるようにすることもできる。また、紛失物発見器１０にはその前面側などにプッシュツボタンなどの停止操作部１５が設けられており、携帯電話１１の操作者が、応答動作中の紛失物発見器１０を発見してこれを操作することでその応答動作を停止させることができる。これによって、物品発見後の無用な応答動作を停止させて、使い勝手のよい紛失物発見器１０とすることができる。
さらに、携帯電話１１のブルートゥース通信機能を介して停止操作部１５を作動させるための制御信号や、直接的に応答報知部１３を停止させるための制御信号を送信することもでき、携帯電話側から紛失物発見器１０の応答動作を停止させることができる。
【００２８】
図３は応答制御部における応答動作の一例を示すフロー図である。以下図面を参照しながら動作フローについて説明する。
まず、最初のステップＳ１で応答制御部１４が所定の時間間隔でブルートゥース受信回路部１２にアクセスする。
次のステップＳ２では、携帯電話１１のブルートゥース送信回路部１１ａからの制御信号の有無をチェックし、制御信号が受信されない場合（ｎｏ）にはステップＳ１に戻って、以上のアクセス操作が繰り返し実行される。一方、制御信号が受信された場合（ｙｅｓ）にステップＳ３に移行する。
ステップＳ３ではこの制御信号を解析して、携帯電話の識別コード、制御コードに対応した応答報知部１３の動作モードが設定される。このような制御コードは例えば、(1)応答報知部１３をその発光機能により約５秒間所定時間動作させた後、発音機能に切り換えて動作させる発光発音モードや、(2)応答報知部１３の発光機能を持続させる発光モード、(3)応答報知部１３の発音機能を持続させる発音モード、(4)応答報知部１３の振動機能を継続させる振動モード、(5)応答報知部１３の動作履歴をリセットするリセットモードなどに対応しており、これによって、所定の動作モードが設定されるようになっている。
【００２９】
ステップＳ４では、この設定された動作モードで応答報知部１３を作動させるとともに、以下の待機時間を判定するための計時処理が開始される。
次のステップＳ５では割り込み処理ルーチンを介して所定の時間毎に停止操作部１５のオンオフ操作状態を取得して、この操作状態を判定する。ここで停止操作部１５が押された場合（ｙｅｓ）に応答報知部１３を停止させるための停止処理がなされて以上のルーチンを終了する。一方、停止操作部１５が押されてない場合（ｎｏ）にはステップＳ６に移行する。
ステップＳ６では、ステップＳ４以降の時間、すなわち応答報知部作動後の時間を取得して、所定の待機時間内であるか否かを判定して、ステップＳ４で開始された以降の計時時刻がこの待機時間内である場合（ｙｅｓ）にはステップＳ７に、待機時間内でない経過後の場合（ｎｏ）にはステップＳ７をスキップして応答報知部１３の停止処理がなされた後、すべてのルーチンを終了する。
ステップＳ７ではステップＳ３で設定された動作モードを別の動作モードに切り換えて、ステップＳ４に移行して、以降のステップが繰り返して実行される。なお、このような動作モードの一つとして、応答報知部１３を停止させる停止モードを含めるようにしてもよい。この場合には、前記ステップS５による停止判定処理を省略することも可能である。
【００３０】
以上説明したように本実施形態の紛失物発見器１０は、ブルートゥース対応携帯電話のアプリケーションなどから操作することができるので、いつでも手軽に利用できる携帯性と利便性に優れている。そして、カギやサイフなどの物品にベアリングした応答報知部１３から音や光、振動を出してどこにあるかを知らせることができる。こうして、いつも持ち歩く携帯電話を操作することによって、自宅部屋の中や、オフィスの中などでカギやサィフ等の小物を探し出すことができる。
【００３１】
すなわち、ブルートゥース対応携帯電話のアプリケーションと.小型スピーカー付きの機器をペアリングしておく。そしてその小型スピーカー付きの機器をカギやサイフなどにつけておく。小型スピーカー付きの紛失物発見器としてはキーホルダー型、カード型などが考えられる。小型スピーカー付きの機器をつけたカギやサイフなどを紛失した際には携帯電話のアプリケーションから「音を出す」「振動させる」等を選択して実行され、紛失物をすばやく発見することができる。また、紛失物発見器の受信回路部に携帯などから探すための電波を発信する際に振動で反応するのか光で反応するのか、あるいは音で反応するのかのいずれかの動作モードを選択することができるので、その動作形態の識別性にも優れている。
【００３２】
本発明の紛失物発見器は携帯電話から発信される制御信号に基づいてその応答報知部を所定の動作モードで駆動させるようにしたことを要旨とするものであり、これに属するものは本発明の権利範囲である。例えば、本実施例では、紛失物発見器をカギや財布などの小物類に装着する場合について述べたが、駐車場での自動車捜索や、空港の手荷物預かりでの荷物捜索など、探しにくい対象物から特定の一つを捜索する用途などにも広く用いることができる。
【図面の簡単な説明】
【００３３】
【図１】紛失物発見器を用いた紛失物発見システムの説明図である。
【図２】紛失物発見器を含むシステムのブロック構成図である。
【図３】紛失物発見器の応答制御部における応答動作のフロー図である。
【符号の説明】
【００３４】
１０  紛失物発見器
１１  携帯電話
１１ａ  ブルートゥース送信回路部
１１ｂ  アンテナ
１１ｃ  通信制御部
１１ｄ  操作部
１１ｅ  液晶表示部
１２  ブルートゥース受信回路部（受信回路部）
１３  応答報知部
１４  応答制御部
１５  停止操作部
【図１】
2007180936.tif 000003
【図２】
2007180936.tif 000004
【図３】
2007180936.tif 000005